(57)【要約】【課題】連結する装飾用単位体の動きの自由度を高め、装飾部のデザイン変化を多種多様化でき、またチェーン状の止め具を通し易く、しかも加工の手間暇を軽減できるようにする。【解決手段】複数の装飾用単位体１で形成した装飾部２と、この装飾部２の止め具３とで形成する。装飾用単位体１は隣り合う単位体１同士を互いに回動自在に連結する。止め具３をチェーン状に形成して装飾部２の任意の装飾用単位体１に通して止め付ける。隣り合う装飾用単位体１同士を連結するための連結部材４を備える。この連結部材４の一端側を一方の装飾用単位体１に、他端側を他方の装飾用単位体１に、装飾用単位体１の前後方向に延びる軸５で夫々枢着する。【選択図】      図１
2005224493.tif 000002
【特許請求の範囲】
【請求項１】
複数の装飾用単位体で形成された装飾部と、この装飾部の止め具とで形成され、上記の装飾用単位体は隣り合う単位体同士が互いに回動自在に連結され、上記の止め具がチェーン状に形成されて装飾部の任意の装飾用単位体に通されて止め付けられる変形自在の装身具であって、隣り合う装飾用単位体同士を連結するための連結部材を備え、この連結部材の一端側が一方の装飾用単位体に、他端側が他方の装飾用単位体に、装飾用単位体の前後方向に延びる軸で夫々枢着されていることを特徴とする変形自在の装身具。
【請求項２】
請求項１記載の変形自在の装身具であって、装飾用単位体の径方向の反対位置に、装飾用単位体の周側面から側方に腕片が夫々突き出され、この腕片に連結部材が枢着されていることを特徴とする変形自在の装身具。
【請求項３】
複数の装飾用単位体で形成された装飾部と、この装飾部の止め具とで形成され、上記の装飾用単位体は隣り合う単位体同士が互いに回動自在に連結され、上記の止め具がチェーン状に形成されて装飾部の任意の装飾用単位体に通されて止め付けられる変形自在の装身具であって、装飾用単位体の径方向の反対位置に、装飾用単位体の周側面から側方に延長片が夫々突き出され、この延長片に、その長手方向に延びて長孔が形成され、隣り合う装飾用単位体の延長片同士が重合されると共に、この重合された延長片の各長孔に装飾用単位体の前後方向に延びる軸棒が通され、この軸棒を介して装飾用単位体が枢着されていることを特徴とする変形自在の装身具。
【請求項４】
複数の装飾用単位体で形成された装飾部と、この装飾部の止め具とで形成され、上記の装飾用単位体は隣り合う単位体同士が互いに回動自在に連結され、上記の止め具がチェーン状に形成されて装飾部の任意の装飾用単位体に通されて止め付けられる変形自在の装身具であって、隣り合う装飾用単位体同士を連結するための連結体を備え、この連結体が複数の小片を装飾用単位体の前後方向に延びるピンで枢着させてピンを介して曲折自在に形成され、この連結体の一端側が一方の装飾用単位体に、他端側が他方の装飾用単位体に、装飾用単位体の前後方向に延びる軸部材で夫々枢着されていることを特徴とする変形自在の装身具。
【発明の詳細な説明】
【技術分野】
【０００１】
本発明はペンダント、イヤリング、ブレスレット、ブローチ等の変形自在の装身具に関し、更に詳しくは複数の装飾用単位体で構成し、各装飾用単位体を変形自在に連結している変形自在の装身具に関するものである。
【背景技術】
【０００２】
従来この種の装身具としては、複数の装飾用単位体を、蝶番で連結しているものや（特許文献１参照）、或いは装飾用単位体をピンで連結している本出願人の提案に係るものがある（特許文献２参照）。
上記の特許文献１に係る従来品は、表側の装飾部と、裏側の下面部材とを脚部で一体状に連結し、この脚部に蝶番を設け、装飾部と下面部材とで形成される装飾部材を蝶番で繋げているものである。
また特許文献２記載の従来品は、装飾用単位体の周側面に、周方向に延びる溝を開口状に形成し、ピンの一方の頭部を一方の装飾用単位体内に配置し、ピンの他方の頭部を他方の装飾用単位体内に配置し、隣り合う装飾用単位体をピンで連結しているものである。
【特許文献１】実公平２−３５２０９号公報
【特許文献２】実公平７−２７８６１号公報
【発明の開示】
【発明が解決しようとする課題】
【０００３】
而して特許文献１記載の従来品は、上記の通り、装飾用単位体を蝶番で連結しているため、蝶番の軸を中心にして装飾用単位体同士が回転するものである。従ってこれによると、装飾用単位体が蝶番の軸を中心とした動きしかとれないため、装飾用単位体で形成される装飾部のデザイン変化、パターンの変化に限界がある、という問題点があった。またこの従来品は、蝶番によるため、装飾用単位体をジグザグに大きくずらすことができず、従ってチェーン等の止め具を通しにくい、という問題点があった。更にこの従来品は、蝶番を脚部に設けているため、装飾用単位体が、例えば三角形状、四角形状、五角形状のような多角柱形状に形成されていることが望ましものであった。従ってこの従来品によると、装飾用単位体が丸型、円盤型、球形、卵形のような丸みのある外形状には適さない、という問題点があった。
【０００４】
また特許文献２記載の従来品は、上記の通り、両端を拡大頭部に形成したピンで装飾用単位体を連結しているものである。従ってこの従来品の場合は、例えばピンの頭部やピンの軸の周面と、装飾用単位体との接触面が滑らかに加工されていないと、円滑に変形させることができなかったから、これによると接触面の加工を精度良く行なう必要があり、加工に手間暇がかかる、という問題点があった。
【０００５】
本発明は、このような従来技術の問題点に鑑み、提案されたものである。
従って本発明の解決しようとする技術的課題は、連結する装飾用単位体の動きの自由度を高め、装飾部のデザイン変化を多種多様化でき、またチェーン状の止め具を通し易く、しかも加工の手間暇を軽減できるよう形成した変形自在の装身具を提供することにある。
【課題を解決するための手段】
【０００６】
本発明は、上記の課題を解決するため、次のような技術的手段を採る。
即ち本発明は、図１等に示されるように、複数の装飾用単位体１で形成された装飾部２と、この装飾部２の止め具３とで形成され、上記の装飾用単位体１は隣り合う単位体１同士が互いに回動自在に連結され、上記の止め具３がチェーン状に形成されて装飾部２の任意の装飾用単位体１に通されて止め付けられる変形自在の装身具であって、隣り合う装飾用単位体１同士を連結するための連結部材４を備え、この連結部材４の一端側が一方の装飾用単位体１に、他端側が他方の装飾用単位体１に、装飾用単位体１の前後方向に延びる軸５で夫々枢着されていることを特徴とする（請求項１）。
【０００７】
本発明の場合、装飾用単位体１は、例えば成型法によって枠状に形成され、表側に例えばダイヤモンド等の宝石類１ｃ（図１参照）が固定されている。ここで、止め具３がチェーン状とは、止め具３は多種多様な形態をとる装飾用単位体１に挿し通すことができるよう、柔軟に形成されている、ということを意味し、具体的にはチェーン、綱、紐などで実現される。また連結部材４の形状は、図１、図２に示されるように、例えばメガネレンチ形（図１Ｃ参照）、長円形（図２Ａ、Ｂ参照）、「８」の字形（図２Ｃ、Ｄ参照）、或いは長円のリング形（図２Ｅ参照）等、任意である。また本発明の場合、連結部材４は、通常、貴金属材で形成されるが、これに限定されるものではない。軸５は、抜け落ちないよう、例えば両端が拡大されたり、或いは装飾用単位体１の表面、裏面に軸５の端面がロウ付けされると共に、ヤスリがけされて面一に加工される。
【０００８】
また本発明は、図３〜図５に示されるように、装飾用単位体１の径方向の反対位置に、装飾用単位体１の周側面から側方に腕片６が夫々突き出され、この腕片６に連結部材４が枢着されているのでも良い（請求項２）。
【０００９】
この場合は、腕片６によって、装飾用単位体１同士の間隔が広がり、動きが大きくなる。従って変化する形態がより多様化し、また止め具３を装飾用単位体１に通し易くなる。
【００１０】
また本発明の課題を達成する他の構成としては、図６に示されるものがある。
この本発明は、複数の装飾用単位体１で形成された装飾部２と、この装飾部２の止め具３とで形成され、上記の装飾用単位体１は隣り合う単位体１同士が互いに回動自在に連結され、上記の止め具３がチェーン状に形成されて装飾部２の任意の装飾用単位体１に通されて止め付けられる変形自在の装身具であって、装飾用単位体１の径方向の反対位置に、装飾用単位体１の周側面から側方に延長片７が夫々突き出され、この延長片７に、その長手方向に延びて長孔７ａが形成され、隣り合う装飾用単位体１の延長片７同士が重合されると共に、この重合された延長片７の各長孔７ａに装飾用単位体１の前後方向に延びる軸棒８が通され、この軸棒８を介して装飾用単位体１が枢着されていることを特徴とする（請求項３）。
【００１１】
この場合、装飾用単位体１の構成等は、請求項１に係る本発明の場合と同様である。ここで、径方向の反対位置とは、装飾用単位体１を正面から見たとき、さしわたし方向にあたる反対位置を意味し、具体的には装飾用単位体１が正面視で円形や方形のときは、１８０度の位置を意味する。
【００１２】
また本発明の課題を達成する他の構成としては、図７〜図９に示されるものがある。
この本発明は、複数の装飾用単位体１で形成された装飾部２と、この装飾部２の止め具３とで形成され、上記の装飾用単位体１は隣り合う単位体１同士が互いに回動自在に連結され、上記の止め具３がチェーン状に形成されて装飾部２の任意の装飾用単位体１に通されて止め付けられる変形自在の装身具であって、隣り合う装飾用単位体１同士を連結するための連結体９を備え、この連結体９が複数の小片９ａを装飾用単位体１の前後方向に延びるピン１０で枢着させてピン１０を介して曲折自在に形成され、この連結体９の一端側が一方の装飾用単位体１に、他端側が他方の装飾用単位体１に、装飾用単位体１の前後方向に延びる軸部材１１で夫々枢着されていることを特徴とする（請求項４）。
【００１３】
この場合、装飾用単位体１の構成等は、請求項１に係る本発明の場合と同様である。連結体９の構成は、小片９ａの連結個数や連結形状により、種々多様な組み合わせが可能である。
【発明の効果】
【００１４】
本発明の装身具は、このように装飾用単位体同士を、連結部材を介して２本の軸で枢着したり、長孔に軸棒を通し、この軸棒で枢着したり、また装飾用単位体同士を連結体で連結すると共に、この連結体を複数の小片で形成し、３本以上の軸で枢着しているものである。
従って本発明の装身具によれば、連結する装飾用単位体の動きの自由度を高めることができ、装飾用単位体が、本実施形態の例えば７個の場合で、デザイン変化が３０種以上得られ、デザイン変化が著しくなり、装飾部のデザイン変化を多種多様化できる。特に、装身具中、ペンダント類は高価であるため、従来は無難な飽きのこないシンプルなデザインが最も好まれていたが、本発明によれば、他のデザインも楽しみたい、という消費者の願望、要望を満足させることができる。即ち本発明の場合は、例えば装飾用単位体の個数を増やすことで、シンプルからゴージャスなデザインまで、バランスよく数十種以上に装飾部を変化でき、消費者の好みの多様化に柔軟に対応できる。また装飾用単位体の個数を増やし、ネックチェーンの長さにすれば、ペンダントのみでなく、そのまま止め具としてのチェーンを通してシンプルな、首まわり全周のネックレスを提供できる。またこの場合は、装飾用単位体が数十個以上になるので、装飾部全体の曲げ方、垂らし方（２つ折り、３つ折り等）、また止め具を通す位置（箇所）によってデザイン変化をより増大できるから、一層、ＴＰＯに合わせた使い方が可能になり、使い勝手が良くなるものである。また本発明品によれば、使用者が止め具としてのチェーンの通し方を工夫することにより、デザイン変化を創作することもできる。
また本発明の場合、装飾用単位体の形状は、特に限定されるものではない。即ち本発明は、装飾用単位体が、例えば円形、長円形、方形、ハート形、花等であっても無理なく対応できるから、これによれば装飾効果が従来品に比べ、はるかに大きくなる。また本発明は、連結部材を、装飾を施す箇所として利用できるから、一層、装飾効果を高めた美しい装飾品を提供できる。
また本発明は、装飾用単位体をジグザグにずらすことができるから、これによるとチェーン状の止め具を装飾用単位体の中に通し易くなり、加工も容易である。
【発明を実施するための最良の形態】
【００１５】
以下、本発明を実施するための最良の形態を説明する。
図１等において、本発明品は、複数の装飾用単位体１が、例えば直列状に連結されて形成された装飾部２と、この装飾部２の止め具３とで形成されている。上記の装飾用単位体１は、隣り合う単位体１同士が互いに回動自在に連結されている。装飾用単位体１は、周側面に、止め具３を通す開口１ａを有し、プラチナ等の貴金属で枠状に形成されている。装飾用単位体１の前面１ｂ（表面）には、ダイヤモンド等の宝石類１ｃが取り付けられる。なお１ｄ（図３、図４等参照）は、開口１ａと開口１ａの間の繋ぎ部である。而して上記の止め具３は、チェーン状に形成され、この実施形態では装飾部２の一端側の装飾用単位体１の中に通されると共に、上記の繋ぎ部１ｄを介して引き出され、装飾部２に止め付けられている。
【００１６】
４は、隣り合う装飾用単位体１同士を連結するための連結部材である。この連結部材４は、両端に厚さ方向にわたって貫通孔４ａが形成され、この実施形態では図１Ｃに示されるように、正面視でメガネレンチ形に形成されている。そして連結部材４は、その一端側が一方の装飾用単位体１に、他端側が他方の装飾用単位体１に、装飾用単位体１の前後方向に延びる軸５で夫々枢着されている。なお軸５は、装飾用単位体１や連結部材４から抜け落ちないよう、この実施形態ではその両端に対応する装飾用単位体１の位置がロー付けされると共に、表面が面一になるようヤスリ掛けされている。
【００１７】
本発明品は、装飾用単位体１にチェーン状の止め具３を通すことにより、装飾部２は、例えば図１０〜図１３に示されるように、種々の形態をとることができる。この内、図１０に示される各形態は、装飾用単位体１が直列状に連結され、その内の任意の装飾用単位体１の中に止め具３が通された例を示し、図１１は任意の２箇所の装飾用単位体１に止め具３が通された例であり、図１２は、任意の１箇所の装飾用単位体１に止め具３が通された例である。また図１３は、装飾用単位体１を輪状に連結して装飾部２を形成し、その内の任意の装飾用単位体１に止め具３を通した例である。このように本発明は、装飾用単位体１が直列状に連結される場合には限られず、リング状に連結されて装飾部２が形成されているのでも良い。
【００１８】
以上の処において、本発明は、連結部材４の形状、貫通孔４ａの形成間隔は、図２に示されるように任意である。同図Ａ、Ｂは、連結部材４が長円形に形成されると共に、貫通孔４ａの間隔がＡは短く、ＢはＡよりも長い状態に形成され、Ｃは連結部材４が「８」の字形に形成され、Ｄは貫通孔４ａの間隔が大きくなるよう、連結部材４がメガネ形に形成されているものである。また同図Ｅは、連結部材４が長円形の輪状に形成されているものである。この場合は、貫通孔４ａとしての内側の開口部に、軸５が通される。本発明は、貫通孔４ａの形成間隔が大きく選定されると、隣り合う装飾用単位体１同士の間隔が開き、装飾用単位体１をジグザグに大きくずらすことができる。従ってこれによると、止め具３を装飾用単位体１の周側面に沿わせて繋ぎ部１ｄを介して通し、引き出し易くなるから、止め具３の取り付け操作を容易化できる。
【００１９】
また本発明は、図３〜図５に示されるように、装飾用単位体１の径方向の反対位置に、装飾用単位体１の周側面から側方に腕片６が夫々突き出され、この腕片６に連結部材４が枢着されているのでも良い。この場合、腕片６は、図３に示されるように、装飾用単位体１の周側面の真中に１個だけ突き出されているのでも、或いは図４、図５に示されるように、装飾用単位体１の前後（図面上は上下）に平行一対状に形成されるのでも良い。またこの本発明の場合、腕片６の形状や長さは、任意である。図３の場合は、腕片６を挟んで連結部材４がサンドイッチ状に重合され、軸５で枢着されているものである。また図４の場合は、連結部材４が腕片６の内側（裏側）に重合されて、腕片６の内面（裏面）に凸状に形成された軸５で枢着され、図５の場合は連結部材４が腕片６の外側（表側）に重合されて、腕片６の外面（表面）に凸状に形成された軸５で枢着されている。この場合、腕片６の形状や長さは、任意である。このように本発明が形成される場合は、装飾用単位体１から突き出された腕片６に連結部材４を枢着させることができるから、加工が容易になる。
【００２０】
次に請求項３に係る本発明の好適な一実施形態を、図６に従って説明する。上例と同一箇所、同一部材については、同一の符号を付し、詳しい説明は省略する。
この本発明は、上例と同様、複数の装飾用単位体１で形成された装飾部２と、この装飾部２の止め具３とで形成されている。そして上記の装飾用単位体１は、隣り合う単位体１同士が互いに回動自在に連結され、上記の止め具３がチェーン状に形成されて装飾部２の任意の装飾用単位体１に通されて止め付けられるものである。装飾用単位体１等の構成は、上例と同様である。
【００２１】
而してこの本発明は、装飾用単位体１の径方向の反対位置に、装飾用単位体１の周側面から側方に延長片７が夫々突き出されている。延長片７は、この実施形態では周側面の真中に側方に向かって１個突き出されている。そしてこの延長片７に、その長手方向に延びて長孔７ａが形成されている。隣り合う装飾用単位体１の延長片７同士は、重合されると共に、この重合された延長片７の各長孔７ａに装飾用単位体１の前後方向に延びる軸棒８が通されている。装飾用単位体１は、この軸棒８を介して枢着されているものである。なお軸棒８は、長孔７ａから抜け落ちないよう、この実施形態では両端部８ａが拡大されている。
【００２２】
この本発明の場合は、長孔７ａによって装飾用単位体１が互いに近づいたり離れるよう移動が可能に構成されている。従って装飾用単位体１は、軸棒８を中心に、くねくねと曲折し、上例と同様、装飾部２は、例えば図１０〜図１３に示されるように、種々多様な形態をとることができる。
【００２３】
なおこの本発明の場合、延長片７は、図４等に示されるように、装飾用単位体１の前後に平行一対状に形成されるのでも良い。この場合、延長片７の形状や長さは、任意である。また軸棒８は、長孔７ａから抜け落ちないよう、上例では両端部８ａが拡大されているが、本発明はこれに限定されるものではなく、その他の手段で抜け止め可能に形成されているのでも良い。
【００２４】
次に請求項４に係る本発明の好適な一実施形態を、図７に従って説明する。上例と同一箇所、同一部材については、同一の符号を付し、詳しい説明は省略する。
この本発明は、複数の装飾用単位体１で形成された装飾部２と、この装飾部２の止め具３とで形成されている。上記の装飾用単位体１は、隣り合う単位体１同士が互いに回動自在に連結され、上記の止め具３がチェーン状に形成されて装飾部２の任意の装飾用単位体１に通されて止め付けられる。装飾用単位体１の構成等は、請求項１記載の本発明の場合と同様である。
【００２５】
而してこの本発明は、隣り合う装飾用単位体１同士を連結するための連結体９を備えて形成されている。この連結体９は、この実施形態では平行一対状の小片９ａが左右に配置されると共に、これらの重合端が装飾用単位体１の前後方向に延びるピン１０で枢着され、ピン１０を介して曲折自在に形成されている。そしてこの連結体９の一端側（図面上は左端側）は、一方の装飾用単位体１に、他端側（図面上は右端側）が他方の装飾用単位体１の腕片６に、装飾用単位体１の前後方向に延びる軸部材１１で夫々枢着されている。従ってこの本発明の場合は、装飾用単位体１と小片９ａ、及びピン１０で繋がれた小片９ａ同士が、左右位置の軸部材１１と小片９ａを枢着するピン１０を中心に、くねくねと曲折回動する。
【００２６】
この本発明の場合、連結体９の構成は、例えば図８に示されるように、形成されるのでも良い。この実施形態の場合は、連結体９が、前後一対（図面上は上下一対）の左側の小片９ａと、その小片９ａの間に一端（図面上は左端）が挟まれると共に、ピン１０で枢着された右側の小片９ａとで形成されている。左側の前後一対の小片９ａは、装飾用単位体１の腕片６に一方の軸部材１１で枢着され、右側の小片９ａの端部は、隣り合う装飾用単位体１の腕片６に他方の軸部材１１で枢着されている。
【００２７】
またこの本発明の場合は、連結体９が、図９に示されるように、前後一対（図面上は上下一対）の小片９ａが左右に配置されると共に、この左右位置の小片９ａを連結する前後一対（図面上は上下一対）の小片９ａが真ん中に配置され、小片９ａの重合された端部がピン１０で連結されることにより形成されているのでも良い。そして連結体９の左右端は、隣り合う装飾用単位体１に軸部材１１で夫々枢着されている。従ってこの実施形態では、軸部材１１と、ピン１０とによって、隣り合う装飾用単位体１は、４軸で連結され、４箇所で屈曲回動するよう形成されている。このように請求項４に係る本発明は、連結体９を形成する小片９ａの個数、及び小片９ａの連結態様は任意である。小片９ａの連結個数が増加するにつれ、装飾用単位体１の曲がりは、一層くねくね曲折するから、装飾部２の変形度が増し、また装飾用単位体１を大きくずらすことができ、止め具３の通しが容易になる。
【図面の簡単な説明】
【００２８】
【図１】本発明の装身具の好適な一実施形態を示し、Ａは要部正面図、ＢはＡのＢ−Ｂ線拡大断面図、ＣはＢのＣ−Ｃ線拡大断面図である。
【図２】Ａ〜Ｅとも、連結部材と軸との他の実施形態を示す要部断面図である。
【図３】同上装身具の他の実施形態を示す要部側面図である。
【図４】同上装身具の他の実施形態を示し、Ａは要部斜視図、Ｂは要部平面図、ＣはＢのＣ−Ｃ線断面図である。
【図５】同上装身具の他の実施形態を示し、Ａは要部斜視図、Ｂは要部平面図、ＣはＢのＣ−Ｃ線断面図である。
【図６】同上装身具の他の実施形態を示し、Ａは要部斜視図、Ｂは真上から見た要部断面図である。
【図７】同上装身具の他の実施形態を示す側面から見た要部断面図である。
【図８】同上装身具の他の実施形態を示す側面から見た要部断面図である。
【図９】同上装身具の他の実施形態を示す側面から見た要部断面図である。
【図１０】Ａ〜Ｃとも、本発明の装身具の使用形態を示す要部正面図である。
【図１１】Ａ〜Ｄとも、本発明の装身具の使用形態を示す要部正面図である。
【図１２】Ａ、Ｂとも、本発明の装身具の使用形態を示す要部正面図である。
【図１３】Ａ〜Ｃとも、本発明の装身具の使用形態を示す要部正面図である。
【符号の説明】
【００２９】
１    装飾用単位体
２    装飾部
３    止め具
４    連結部材
５    軸
【図１】
2005224493.tif 000003
【図２】
2005224493.tif 000004
【図３】
2005224493.tif 000005
【図４】
2005224493.tif 000006
【図５】
2005224493.tif 000007
【図６】
2005224493.tif 000008
【図７】
2005224493.tif 000009
【図８】
2005224493.tif 000010
【図９】
2005224493.tif 000011
【図１０】
2005224493.tif 000012
【図１１】
2005224493.tif 000013
【図１２】
2005224493.tif 000014
【図１３】
2005224493.tif 000015
【手続補正書】
【提出日】平成16年2月18日(2004.2.18)
【手続補正１】
【補正対象書類名】明細書
【補正対象項目名】００１４
【補正方法】変更
【補正の内容】
【００１４】
本発明の装身具は、このように装飾用単位体同士を、連結部材を介して２本の軸で枢着したり、長孔に軸棒を通し、この軸棒で枢着したり、また装飾用単位体同士を連結体で連結すると共に、この連結体を複数の小片で形成し、３本以上の軸で枢着しているものである。
従って本発明の装身具によれば、連結する装飾用単位体の動きの自由度を高めることができ、装飾用単位体が、本実施形態の例えば７個の場合で、デザイン変化が３０種以上得られ、デザイン変化が著しくなり、装飾部のデザイン変化を多種多様化できる。装身具中、特に宝飾品のペンダント類は高価であるため、従来は無難な飽きのこないシンプルなデザインが最も好まれていたが、本発明によれば、他のデザインも楽しみたい、という消費者の願望、要望を満足させることができる。即ち本発明の場合は、例えば装飾用単位体の個数を増やすことで、シンプルからゴージャスなデザインまで、バランスよく数十種以上に装飾部を変化でき、消費者の好みの多様化に柔軟に対応できる。また装飾用単位体の個数を増やし、ネックチェーンの長さにすれば、ペンダントのみでなく、そのまま止め具としてのチェーンを通してシンプルな、首まわり全周のネックレスを提供できる。またこの場合は、装飾用単位体が数十個以上になるので、装飾部全体の曲げ方、垂らし方（２つ折り、３つ折り等）、また止め具を通す位置（箇所）によってデザイン変化をより増大できるから、一層、ＴＰＯに合わせた使い方が可能になり、使い勝手が良くなるものである。また本発明品によれば、使用者が止め具としてのチェーンの通し方を工夫することにより、デザイン変化を創作することもできる。
また本発明の場合、装飾用単位体の形状は、特に限定されるものではない。即ち本発明は、装飾用単位体が、例えば円形、長円形、方形、ハート形、花等であっても無理なく対応できるから、これによれば装飾効果が従来品に比べ、はるかに大きくなる。また本発明は、連結部材を、装飾を施す箇所として利用できるから、一層、装飾効果を高めた美しい装飾品を提供できる。
また本発明は、装飾用単位体をジグザグにずらすことができるから、これによるとチェーン状の止め具を装飾用単位体の中に通し易くなり、加工も容易である。